(57)【要約】【課題】  従来の録画機器は予約録画を失敗する場合があった。【解決手段】  あらかじめ予約情報を複数の録画機器に記録させ、予約録画を実行する直前に１つの録画予約を残して残りを消去する。【選択図】  図３
2009135677.tif 000002
【特許請求の範囲】
【請求項１】
外部機器と通信を行うことができる録画機器において、予約情報を記録する予約情報記録部と、外部機器に予約情報を送信する予約送信部と、外部機器の録画予約を解除する予約キャンセル送信部を備え、予約送信部は、録画機器に録画予約が設定された場合に、同一の予約情報を外部機器に送信し、予約キャンセル送信部は、外部機器の同一の録画予約を解除することを特徴とする録画機器。
【請求項２】
予約キャンセル送信部は、予約を実行できる場合に、外部機器の同一の録画予約を解除することを特徴とする請求項１に記載の録画機器。
【請求項３】
第１の録画機器、および第２の録画機器がお互い通信を行う録画システムにおいて、
第１の録画機器は、予約情報を記録する予約情報記録部と、第２の録画機器に予約情報を送信する予約送信部と、第２の録画機器の録画予約を解除する予約キャンセル命令送信部を備え、
第２の録画機器は、予約情報を記録する予約記録部と、第１の録画機器からの予約情報を受信する予約受信部と、第１の録画機器からの予約キャンセル命令を受信する予約キャンセル命令受信部を備え、
第１の録画機器は、録画予約が設定された場合に、同一の予約情報を第２の録画機器に送信し、第２の録画機器はその予約情報を受信し予約記録部に記録し、
第１の録画機器は、予約された録画を実行する前に、予約キャンセル命令送信部によって第２の録画機器の録画予約を解除することを特徴とする録画システム。
【請求項４】
予約キャンセル送信部は、第１の録画機器で予約された録画を実行できる場合のみ、第２の録画機器の予約を解除することを特徴とする、請求項３に記載の録画システム。
【発明の詳細な説明】
【技術分野】
【０００１】
本発明は、外部機器と連動することで録画予約の失敗を防止する録画機器に関するものである。
【背景技術】
【０００２】
従来から視聴したい番組を録画機器に録画予約し、後日視聴するということが行われてきた。しかし録画予約は必ずしも実行されるものではなく、録画機器の記録媒体の空き容量が不足していた場合や、録画機器の主電源が切断されていた場合には、録画は実行されずユーザは見たい番組を視聴できない場合があった。
【０００３】
そこで例えば特許文献１では、ユーザが電源切断の操作を行った場合に、外部機器に予約情報を送信してから電源を切断する情報処理装置が開示されている。
【０００４】
また、特許文献２では、複数の録画機器に同一の番組を録画する録画機器が開示されている。
【特許文献１】特開２００５−３５４５９９号公報
【特許文献２】特開２００５−３１１７９３号公報
【発明の開示】
【発明が解決しようとする課題】
【０００５】
しかしながら、特許文献１に開示された発明は、ユーザによる電源遮断要求に対してのみ対応しており、予約情報を送信する時間がないようなトラブルの場合対応できなかった。また特許文献２に開示された発明の場合は、録画が２重に行われてしまうため、ユーザは片方の録画データを消す手間が発生したり、１台の録画機器で録画する場合に比べて消費電力が増える、といった課題があった。
【課題を解決するための手段】
【０００６】
上述した課題を解決するために、本発明では、外部機器と通信を行うことができる録画機器において、予約情報を記録する予約情報記録手段と、外部機器に予約情報を送信する予約送信手段と、外部機器の録画予約を解除する予約キャンセル送信手段を備え、予約送信手段は、録画機器に録画予約が設定された場合に、同一の予約情報を外部機器に送信し、予約キャンセル送信手段は、外部機器の同一の録画予約を解除することを特徴とする。
【０００７】
又、本発明では、
第１の録画機器、および第２の録画機器がお互い通信を行う録画システムにおいて、
第１の録画機器は、予約情報を記録する予約情報記録部と、第２の録画機器に予約情報を送信する予約送信部と、第２の録画機器の録画予約を解除する予約キャンセル命令送信部を備え、
第２の録画機器は、予約情報を記録する予約記録部と、第１の録画機器からの予約情報を受信する予約受信部と、第１の録画機器からの予約キャンセル命令を受信する予約キャンセル命令受信部を備え、
第１の録画機器は、録画予約が設定された場合に、同一の予約情報を第２の録画機器に送信し、第２の録画機器はその予約情報を受信し予約記録部に記録し、
第１の録画機器は、予約された録画を実行する前に、予約キャンセル命令送信部によって第２の録画機器の録画予約を解除することを特徴とする。
【発明の効果】
【０００８】
本発明によれば、あらかじめ外部機器に予約情報を送信することで、急なトラブルの場合も録画予約が失敗する可能性を減らすことができる。
【０００９】
また、録画が実行できる場合は、外部機器の録画予約を解除することで、２重に録画されることを防止しできる。
【発明を実施するための最良の形態】
【００１０】
次に、本発明の詳細を実施例の記述に従って説明する。
【実施例１】
【００１１】
本発明の第１の実施形態について説明する。図１は本実施形態に係わる録画予約システムの構成図である。デジタルテレビ１００、録画機器１０１、録画機器１０２は互いにデータバス１０３で繋がれ、データや命令をやり取りできるようになっている。
【００１２】
図２は録画機器１０１、録画機器１０２の構成図である。ユーザがリモコン上で操作した録画予約等の命令はリモコン受光部２００が受信する。リモン受光部２００で受信した命令は予約制御２０１で処理される。予約制御部２０１は必要があればデータバスＩ／Ｆ２０２、データバス１０３を介して外部機器（デジタルテレビ１００や録画機器１０１、又は録画機器１０２）と通信を行う。
【００１３】
図３は録画機器１０１の予約制御部２０１の構成図である。
【００１４】
予約管理部３００は予約記録部３０１、予約送信部３０２、録画制御部３０３、予約キャンセル送信部３０４を制御する。
【００１５】
予約録画部３０１は不揮発性メモリに予約情報を記録する。予約情報は録画予約を行う場合に必要になる情報で、番組のタイトル、番組の放送される放送局、録画開始時間、録画終了時間、録画する際の圧縮率等を規定する録画モード、予約記録部３０１に記録された予約情報を識別するための予約情報ＩＤなどを含む。
【００１６】
予約送信部３０２は予約記録部３０１に記録されている予約情報をデータバス１０３を介して録画機器１０２に送信する。
【００１７】
録画制御部３０３は予約記録部３０１に記録されている予約情報を元に図示していないチューナーや記録媒体を制御して録画を実行する。
【００１８】
予約キャンセル送信部３０４は、録画機器１０２が記録している録画予約を解除する予約キャンセル命令をデータバス１０３を介して送る。
【００１９】
図４は録画機器１０２の予約制御部２０１の構成図である。
【００２０】
予約管理部４００は予約記録部４０１、予約受信部４０２、録画制御部４０３、予約キャンセル受信部４０４を制御する。
【００２１】
予約受信部４０２はデータバス１０３を介して送られてきた予約情報を受信する。予約管理部４００は受信した予約情報を予約記録部４０１に記録させる。
【００２２】
予約キャンセル受信部４０４はデータバス１０３を介して送られてきた予約キャンセル命令を受信する。予約管理部４００は予約キャンセル命令で指定された、予約記録部４０１の予約情報を消去する。
【００２３】
予約記録部４０１は予約記録部３０１と、録画制御部４０３は録画制御部３０３と同様の動作を行うためここでは説明は省略する。
【００２４】
以上の構成による本実施形態の動作について以下で説明する。
【００２５】
図７は、ユーザが録画機器１０１に録画予約を行った場合の録画機器１０１と録画機器１０２のシーケンス図である。
【００２６】
録画機器１０１はユーザによる録画予約指示７００を受け取ると、予約登録７０１を行う。録画予約指示７００にはユーザが録画したい番組の予約情報Ａを含み、予約登録７０１ではこの予約情報Ａを予約記録部３０１に記録する。
【００２７】
次に録画機器１０１は予約バックアップ７０２を行う。予約バックアップ７０２では、まず予約命令７０３を録画機器１０２に送信する。予約命令７０３は録画予約の指示と予約記録部３０１に記録された予約情報Ａを含む。
【００２８】
予約命令７０３を受けた録画機器１０２は予約登録７０４を開始する。予約登録７０４では録画機器１０２は予約命令７０３に含まれる予約情報Ａを予約記録部４０１に記録し、記録が完了したらその旨を予約完了通知７０５として録画機器１０１に通知する。
【００２９】
予約完了通知７０５を受けた録画機器１０１は予約バックアップ７０２を終了し、予約完了通知７０６によってユーザに予約が完了したことを通知する。予約完了通知７０６はデジタルテレビ１００に「予約が完了しました」等のメッセージを表示することで実現する。
【００３０】
以上のシーケンスによって録画機器１０１と録画機器１０２の両方に予約情報Ａが記録される。
【００３１】
次に予約情報Ａの録画を実行する場合のシーケンスを説明する。
【００３２】
図８は、録画機器１０１で予約情報Ａの録画を実行できる場合のシーケンス図である。
【００３３】
録画機器１０１は録画開始時刻ｐより前の時刻ｔに予約実行判定８００を実行する。予約実行判定８００は録画機器１０１で予約情報Ａの録画が実行できるか判定するものである。例えば録画機器１０１の記録媒体の空き容量が、予約情報Ａの録画に必要な容量に足りているか判定する。
【００３４】
録画可能と判定されたら、録画機器１０１は予約キャンセル命令８０１を録画機器１０２に発行して、予約実行判定８００を終了する。予約キャンセル命令は予約情報Ａの消去を要請する命令である。
【００３５】
予約キャンセル命令８０１を受信した録画機器１０２は予約キャンセル８０２を実行する。予約キャンセル８０２では、録画機器１０２は予約記録部４０１に記録されている予約情報Ａを消去する。
【００３６】
録画開始時刻ｐになったら、録画機器１０１は予約録画８０３を開始し、予約情報Ａで指定された番組を記録媒体に録画する。
【００３７】
以上のシーケンスによって録画機器１０１だけに予約情報Ａで指定された番組が録画される。
【００３８】
図９は、録画機器１０１で予約情報Ａの録画を実行できない場合のシーケンス図である。
【００３９】
録画機器１０１は時刻ｔになったら、予約情報Ａの録画が実行できるかどうか予約実行判定９００を実行する。予約実行判定９００は例えば録画機器１０１の記録媒体の空き容量が、予約情報Ａの録画に必要な容量に足りているか判定する。その結果録画できないと判定されたら、録画機器１０１は録画機器１０２に予約キャンセル命令を送らずに予約キャンセル９０１を実行する。予約キャンセル９０１では、録画機器１０１の予約記録部３０１に記録されている予約情報Ａを消去する。
【００４０】
録画開始時刻ｐになったら、録画機器１０２は予約録画９０２を開始し、予約情報Ａで指定された番組を記録媒体に録画する。
【００４１】
以上のシーケンスによって録画機器１０１で予約情報Ａで指定された番組が録画できない場合でも、録画機器１０２に番組が録画できる。
【００４２】
図１０は、録画機器１０１がトラブルにより動作できない場合のシーケンス図である。時刻ｔより前に録画機器１０１にトラブルが発生した場合、録画機器１０１は予約実行判定は行えない。しかし予約キャンセル命令も発行されないため、時刻ｐになると録画機器１０２は予約録画１０００を開始し、予約情報Ａで指定された番組の録画する。よって、録画機器１０１にトラブルが発生しても録画機器１０２に予約情報Ａで指定された番組が録画できる。
【００４３】
以上説明した通り、本実施例ではあらかじめ予約情報を他方の録画機器に送るようにした。これにより自機が録画できなくても他方の録画機器が録画を実行できるようになる。
【００４４】
また、録画する直前に自機で録画できるかどうか判定し、録画できるなら、他方の録画機器の録画予約を解除する。また自機で録画できない場合は自機の録画予約を解除するようにした。これにより、録画が重複して行われることを防止し、重複した録画データを削除する手間や、無駄な電力の消費を省けるようになる。
【００４５】
また、本実施例では録画機器１０１の予約制御部２０１と、録画機器１０２の予約制御部２０１を異なる構成とした。しかし、録画機器１０１の予約制御部２０１に予約受信部４０２と予約キャンセル受信部４０４を設け、また、録画機器１０２の予約制御部２０１に予約送信部３０２と、予約キャンセル送信部３０４を設け、録画機器１０１の予約制御部２０１と録画機器１０２の予約制御部２０１を同じ構成としてもなんら問題はない。
【実施例２】
【００４６】
次に本発明の第２の実施形態について説明する。第２の実施形態では、３つ以上の録画機器を用いた実施形態として、録画機器が３つの場合について説明する。前に説明した実施例と同じ部分については同じ符号を割り振って説明を省略する。
【００４７】
図５は本実施形態に係わる録画システムの構成図である。デシタルテレビ１００、データバス１０３は第１の実施形態と同じである。データバスには録画機器５０１、５０２、５０３の３台が繋がっている。
【００４８】
図１７は録画機器５０１〜５０３の構成図である。予約制御部１７０１の構成のみ第１の実施形態と異なる。予約制御部１７０１について図６を用い説明する。
【００４９】
図６は予約制御部１７０１の構成図である。予約管理部６００は予約記録部３０１、予約送信部３０２、録画制御部３０３、予約キャンセル送信部３０４、予約受信部４０２、予約キャンセル受信部４０４、を制御する。
【００５０】
以上の構成による本実施形態の動作について以下で説明を行う。
【００５１】
図１１は、ユーザが録画機器５０１に録画予約を行った場合の録画機器５０１、５０２、５０３のシーケンス図である。
【００５２】
録画機器５０１はユーザによる録画予約指示１１００を受け取ると、予約登録１１０１を行う。録画予約指示１１０１にはユーザが録画したい番組の予約情報Ａを含み、予約登録１１０１ではこの予約情報Ａを録画機器５０１の予約記録部３０１に記録する。
【００５３】
次に録画機器５０１は予約バックアップ１１０２を行う。予約バックアップ１１０２では、まず予約命令１１０３を録画機器５０２に送信する。予約命令１１０３は録画予約の指示と録画機器５０１の予約記録部３０１に記録された予約情報Ａを含む。
【００５４】
予約命令１１０３を受けた録画機器５０２は予約登録１１０５を開始する。予約登録１１０５では、録画機器５０２は予約命令１１０３に含まれる予約情報Ａを録画機器５０２の予約記録部３０１に記録し、記録が完了したらその旨を予約完了通知１１０７として録画機器５０１に通知する。
【００５５】
録画機器５０１は予約命令１１０３を送信した後に続けて録画機器５０３に予約命令１１０４を送信する。予約命令１１０４は予約命令１１０３と同様に録画予約の指示と予約情報Ａを含む。
【００５６】
予約命令１１０４を受けた録画機器５０３は予約情報Ａを録画機器５０３の予約記録部３０１に記録し、記録が完了したらその旨を予約完了通知１１０８として録画機器５０１に通知する。
【００５７】
予約完了通知１１０７と１１０８を受信した録画機器５０１は予約バックアップ１１０２を終了し、予約完了通知１１０９によってユーザに予約が完了したことを通知する。
【００５８】
以上のシーケンスによって、録画機器５０１、５０２、５０３すべてに予約情報Ａが記録される。
【００５９】
次に予約情報Ａの録画を実行する場合のシーケンスを説明する。
【００６０】
図１２は録画機器５０１で予約情報Ａの録画が実行できる場合のシーケンス図である。
【００６１】
録画機器５０１は録画開始時間ｐより前の時刻ｔ１に予約実行判定１２００を実行する。予約実行判定１２００は録画機器５０１で予約情報Ａで指定された番組の録画が実行できるか判定するものである。例えば録画機器５０１の記録媒体の空き容量が、予約情報Ａの録画に必要な容量に足りているか判定する。
【００６２】
録画可能と判断されたら、録画機器５０１は予約キャンセル命令１２０１を録画機器５０２に、予約キャンセル命令１２０２を録画機器５０３に発行し、予約実行判定１２００を終了する。
【００６３】
予約キャンセル命令１２０１を受信した録画機器５０２は予約キャンセル１２０３を実行し、予約情報Ａを消去する。同様に予約キャンセル命令１２０２を受信した録画機器５０３も予約キャンセル命令１２０４を実行し、予約情報Ａを消去する。
【００６４】
録画開始時刻ｐになったら、録画機器５０１は予約録画１２０５を開始、予約情報Ａで指定された番組を記録媒体に録画する。
【００６５】
以上のシーケンスによって録画機器５０１だけに予約情報Ａで指定された番組が録画される。
【００６６】
図１３は、録画機器５０１で予約情報Ａの録画を実行できない場合のシーケンス図である。ここで、時刻ｔ１、ｔ２は共に録画開始時間ｐよりも前の時刻、且つｔ１はｔ２よりも前の時刻である。
【００６７】
録画機器５０１は時刻ｔ１になったら、予約情報Ａの録画が実行できるか予約実行判定１３００を実行する。その結果録画できないと判定されたら、録画機器５０１は予約キャンセル１３０１を実行し、録画機器５０１の予約記録部３０１に記録されている予約情報Ａを消去する。
【００６８】
次に時刻ｔ２になったら録画機器５０２は予約情報Ａの録画が実行できるか予約実行判定１３０２を実行する。実行可能と判断されたら、録画機器５０２は予約キャンセル命令１３０３を録画機器５０３に発行し、予約実行判定１３０２を終了する。
【００６９】
予約キャンセル命令１３０３を受信した録画機器５０３は予約キャンセル１３０４を実行し、予約情報Ａを消去する。
【００７０】
録画開始時刻ｐになったら、録画機器５０２は予約録画１３０５を開始、予約情報Ａで指定された番組を記録媒体に録画する。
【００７１】
以上のシーケンスによって録画機器５０２だけに予約情報Ａで指定された番組が録画される。
【００７２】
図１４は、録画機器５０１、５０２で予約情報Ａの録画を実行できない場合のシーケンス図である。
【００７３】
録画機器５０１は時刻ｔ１になったら、予約情報Ａの録画が実行できるか予約実行判定１４００を実行する。その結果録画できないと判定されたら、録画機器５０１は予約キャンセル１４０１を実行し、録画機器５０１の予約記録部３０１に記録されている予約情報Ａを消去する。
【００７４】
次に時刻ｔ２になったら録画機器５０２は予約情報Ａの録画が実行できるか予約実行判定１４０２を実行する。判定の結果録画できないとなったら、録画機器５０２は予約キャンセル１４０３を実行し、録画機器５０２の予約記録部３０１に記録されている予約情報Ａを消去する。
【００７５】
録画開始時刻ｐになったら、録画機器５０３は予約録画１４０５４開始、予約情報Ａで指定された番組を記録媒体に録画する。
【００７６】
以上のシーケンスによって録画機器５０３だけに予約情報Ａで指定された番組が録画される。
【００７７】
図１５は、録画機器５０１がトラブルにより動作できない場合のシーケンス図である。時刻ｔ１より前に録画機器５０１にトラブルが発生した場合、録画機器５０１は予約実行判定は行えない。しかし予約キャンセル命令も発行されないため、時刻ｔ２になると録画機器５０２は予約実行判定１５００を実行する。その結果録画機器５０２で録画可能となれば予約キャンセル命令１５０１を録画機器５０３に発行し、録画機器５０３は予約キャンセル１５０２によって予約情報Ａを消去する。
【００７８】
時刻ｐになると録画機器５０２は予約情報Ａで指定された番組の録画を開始する。よって、録画機器５０１にトラブルが発生しても録画機器５０２に予約情報Ａで指定された番組が録画できる。
【００７９】
図１６は、録画機器５０１、５０２がトラブルにより動作できない場合のシーケンス図である。時刻ｔ１よりも前に録画機器５０１にトラブルが発生し、時刻ｔ２より前に録画機器５０２にトラブルが発生した場合、録画機器５０１、５０２は予約実行判定は行えないが、予約キャンセル命令も発行されない。そのため、時刻ｐになると録画機器５０３は予約録画１６００を開始し、予約情報Ａで指定された番組を記録媒体に記録する。
【００８０】
よって録画機器５０１、５０２にトラブルが発生しても録画機器５０３に予約情報Ａで指定された番組が録画できる。
【００８１】
以上説明したとおり、本実施例であらかじめ予約情報を他の２つの録画機器に送るようにした。そして録画する直前に自機で録画できるかどうか判定し、録画できるなら２つの録画機器の録画予約を解除するようにした。また自機で録画できない場合は自機の録画予約を解除するようにした。また、自機がトラブルで動作できない場合は、２つのうちの片方が自機と同じように、録画可能か判定し、自機又は他方の録画予約を解除するようにした。このように３つ以上の録画機器でもシステムを構成することで、より録画予約を失敗する可能性を減らせるようになる。
【図面の簡単な説明】
【００８２】
【図１】実施例１に係わる録画予約システムの構成図である。
【図２】録画機器１０１の構成図である。
【図３】録画機器１０１の予約制御部２０１の構成図である。
【図４】録画機器１０２の予約制御部２０１の構成図である。
【図５】実施例２に係わる録画予約システムの構成図である。
【図６】録画機器５０１、５０２、５０３の予約制御部の構成図である。
【図７】実施例１の録画予約を行うシーケンス図である。
【図８】実施例１の録画機器１０１で予約録画を行える場合のシーケンス図である。
【図９】実施例１の録画機器１０１で予約録画を行えない場合のシーケンス図である。
【図１０】実施例１の録画機器１０１がトラブルで動作しない場合のシーケンス図である。
【図１１】実施例２の録画予約を行うシーケンス図である。
【図１２】実施例２の録画機器５０１で予約録画を行える場合のシーケンス図である。
【図１３】実施例２の録画機器５０１で予約録画を行えない場合のシーケンス図である。
【図１４】実施例２の録画機器５０１、５０２で予約録画を行えない場合のシーケンス図である。
【図１５】実施例２の録画機器５０１がトラブルで動作しない場合のシーケンス図である。
【図１６】実施例２の録画機器５０１、５０２がトラブルで動作しない場合のシーケンス図である。
【図１７】録画機器５０１、５０２、５０３の構成図である。
【符号の説明】
【００８３】
１０１  録画機器
１０２  録画機器
３００  予約管理部
３０１  予約記録部
３０２  予約送信部
３０３  録画制御部
３０４  予約キャンセル送信部
４００  予約管理部
４０１  予約記録部
４０２  予約受信部
４０３  録画制御部
４０４  予約キャンセル受信部
８００  予約実行判定
８０１  予約キャンセル命令
８０２  予約キャンセル
８０３  予約録画
ｐ  録画開始時間
ｔ  録画開始時間より前の時刻
【図１】
2009135677.tif 000003
【図２】
2009135677.tif 000004
【図３】
2009135677.tif 000005
【図４】
2009135677.tif 000006
【図５】
2009135677.tif 000007
【図６】
2009135677.tif 000008
【図７】
2009135677.tif 000009
【図８】
2009135677.tif 000010
【図９】
2009135677.tif 000011
【図１０】
2009135677.tif 000012
【図１１】
2009135677.tif 000013
【図１２】
2009135677.tif 000014
【図１３】
2009135677.tif 000015
【図１４】
2009135677.tif 000016
【図１５】
2009135677.tif 000017
【図１６】
2009135677.tif 000018
【図１７】
2009135677.tif 000019